(57)【要約】【課題】無停電電源装置を効果的に使用することにより、ホールの営業時間外であっても、扉の開放状態を検出してホールの人間に確実に認識させることが可能な遊技機の扉開放検出システムを提供する。【解決手段】ホールの島に配置されてそれぞれ扉開放検出手段を有する複数の遊技機と、該各遊技機に電源を供給する無停電電源装置と、前記各遊技機の情報が入力されるホールコンピュータと、前記無停電電源装置から電圧が常時供給可能に接続されると共に前記各遊技機の扉開放検出手段で検出された扉情報を前記ホールコンピュータに送信可能なセキュリティボックスと、備えることを特徴とする。前記ホールコンピュータは、扉情報を記憶可能な記憶手段を有する制御装置と報知監視装置を備える。【選択図】  図１
2010119768.tif 000002
【特許請求の範囲】
【請求項１】
ホールの島に配置されてそれぞれ扉開放検出手段を有する複数の遊技機と、該各遊技機に電源を供給する無停電電源装置と、前記各遊技機の情報が入力されるホールコンピュータと、前記無停電電源装置から電圧が常時供給可能に接続されると共に前記各遊技機の扉開放検出手段で検出された扉情報を前記ホールコンピュータに送信可能なセキュリティボックスと、備えることを特徴とする遊技機の扉開放検出システム。
【請求項２】
前記ホールコンピュータは、前記セキュリティボックスから入力される扉情報を記憶可能な記憶手段を有する制御装置と、該制御装置に接続された警報器、表示器、監視カメラからなる報知監視装置を備えることを特徴とする請求項１に記載の遊技機の扉開放検出システム。
【請求項３】
前記セキュリティボックスは、各遊技機の扉開放検出手段から送信される扉情報を各遊技機に通知すると共に、該通知信号を前記ホールコンピュータに送信可能であることを特徴とする請求項１または２に記載の遊技機の扉開放検出システム。
【請求項４】
前記無停電電源装置は、ＡＣ−ＤＣ変換機能及びＡＣ−ＡＣ変換機能を有することを特徴とする請求項１ないし３のいずれかに記載の遊技機の扉開放検出システム。
【発明の詳細な説明】
【技術分野】
【０００１】
本発明は、パチンコ遊技機等の遊技機の例えば前面に開閉可能に取り付けられる扉の開放状態を検出してホール（パチンコ店等）の人間に報知可能な扉開放検出システムに関する。
【背景技術】
【０００２】
従来、例えばパチンコ遊技機の扉の開放を検知するものとしては、特許文献１が開示されている。この遊技機は、扉（前枠）が開閉可能に取り付けられる外枠に、検出手段としてのマイクロスイッチを取り付け、このマイクロスイッチが扉の開放を検出した際に、遊技機の各種電気部品や各種基板への電源供給を遮断し、マイクロスイッチが扉の閉鎖を検出した際に、各種電気部品や各種基板への電源供給を再開するようにしたものである。
【特許文献１】特開２００２−１１２２４号公報
【発明の開示】
【発明が解決しようとする課題】
【０００３】
しかしながら、このような遊技機にあっては、扉の開放を検出した際に各種電気部品や各種基板への電源供給を遮断することから、扉が開放された状態における遊技自体は阻止できるものの、扉を開放し短時間経過後に扉を閉鎖して元の状態に戻した場合には、遊技機に電源が供給されて正常に遊技できる状態となる。そのため、例えば遊技を制御する主基板ケースが、ホールの営業中やあるいは営業時間外に、短時間に不正な主基板ケースに取り替えられた場合等に、扉が開放されたことや主基板ケースが取り替えられたこと等をホールの人間に認識（報知）させることが困難で、特に、営業時間外における主基板ケースの取り替え等への対応が不十分となる虞がある。
【０００４】
本発明は、このような事情に鑑みてなされたもので、その目的は、無停電電源装置を効果的に使用することにより、ホールの営業時間外であっても、扉の開放状態を検出してホールの人間に確実に認識させることが可能な遊技機の扉開放検出システムを提供することにある。
【課題を解決するための手段】
【０００５】
かかる目的を達成すべく、本発明のうち請求項１に記載の発明は、ホールの島に配置されてそれぞれ扉開放検出手段を有する複数の遊技機と、該各遊技機に電源を供給する無停電電源装置と、前記各遊技機の情報が入力されるホールコンピュータと、前記無停電電源装置から電圧が常時供給可能に接続されると共に前記各遊技機の扉開放検出手段で検出された扉情報を前記ホールコンピュータに送信可能なセキュリティボックスと、備えることを特徴とする。
【０００６】
また、請求項２に記載の発明は、前記ホールコンピュータが、前記セキュリティボックスから入力される扉情報を記憶可能な記憶手段を有する制御装置と、該制御装置に接続された警報器、表示器、監視カメラからなる報知監視装置を備えることを特徴とする。さらに、請求項３に記載の発明は、前記セキュリティボックスが、各遊技機の扉開放検出手段から送信される扉情報を各遊技機に通知すると共に、該通知信号を前記ホールコンピュータに送信可能であることを特徴とする。また、請求項４に記載の発明は、前記無停電電源装置が、ＡＣ−ＤＣ変換機能及びＡＣ−ＡＣ変換機能を有することを特徴とする。
【発明の効果】
【０００７】
本発明のうち請求項１に記載の発明によれば、遊技機の扉開放検出手段で検出された扉情報が、無停電電源装置により電圧が常時供給されるセキュリティボックスからホールコンピュータに送信されるため、無停電電源装置の効果的な使用により、ホールの営業時間外であっても、扉の開放状態を確実に検出してホールコンピュータを介してホールの人間に確実に認識させることができ、例えば営業時間外の主基板ケースの取り替え等による不正遊技への対応を的確に行うことができる。
【０００８】
また、請求項２に記載の発明によれば、請求項１に記載の発明の効果に加え、ホールコンピュータが、制御装置の記憶手段に記憶された扉情報に基づいて報知監視装置が作動して扉情報を報知したり監視を行うため、扉の開放状態をホールの人間に確実に認識させたり、扉開放時の状態を監視カメラで自動的に撮像して監視することができる。
【０００９】
さらに、請求項３に記載の発明によれば、請求項１または２に記載の発明の効果に加え、セキュリティボックスにより、各遊技機から送信される扉情報を各遊技機に通知すると共にホールコンピュータに送信可能であるため、遊技機の電源オン時にセキュリティボックス自体が改ざんされた場合でも、その異常状態をホールコンピュータで検出することができる。
【００１０】
また、請求項４に記載の発明によれば、請求項１ないし３に記載の発明の効果に加え、無停電電源装置がＡＣ−ＤＣ変換機能及びＡＣ−ＡＣ変換機能を有するため、セキュリティボックス用のＤＣ電圧と各遊技機用のＡＣ電圧を１つの無停電電源装置から供給することができて、扉開放検出システム自体の構成を簡略化して安価に構成することができる。
【発明を実施するための最良の形態】
【００１１】
以下、本発明を実施するための最良の形態を図面に基づいて詳細に説明する。
図１〜図４は、本発明に係わる遊技機の扉開放検出システムの一実施形態を示し、図１がその基本構成を示すブロック図、図２が具体的な構成を示すブロック図、図３が遊技機の構成を示すブロック図、図４が動作の一例を示すフローチャートである。
【００１２】
図１に示すように、扉開放検出システム１は、ＡＣ−ＤＣ変換機能及びＡＣ−ＡＣ変換機能機能を有する無停電電源装置２と、この無停電電源装置２に接続されたセキュリティボックス（セキュリティＢＯＸ）３と、このセキュリティボックス３からパチンコ遊技機からなる遊技機５の扉情報が入力されるホールコンピュータ４等を備えている。そして、無停電電源装置２とセキュリティボックス３は、ホールの島６に配置され、島６に配置される各遊技機５には、前記無停電電源装置２から電源としてＡＣ２４Ｖが供給されると共に、各遊技機５の扉情報が前記セキュリティボックス３に入力されるようになっている。
【００１３】
なお、前記無停電電源装置２は、例えばＡＣ１００Ｖの交流電圧が入力される入力端子と、この交流電圧をＡＣ−ＤＣ変換機能によりＤＣ１２Ｖに変換したり、ＡＣ−ＡＣ変換機能によりＡＣ２４Ｖに変換して出力可能な複数の出力端子を有し、例えば営業時間外で島６のブレーカをオフさせて島電源をオフした場合や停電等でＡＣ電源（ＡＣ１００Ｖ）が所定時間入力されない場合であっても、一定時間各端子から所定の電圧が出力可能に構成されている。
【００１４】
そして、前記扉開放検出システム１は、具体的には図２の如く構成されている。すなわち、島６に配置される各遊技機５には、島６の各遊技機５上方に配置されるトップランプ（図示せず）を制御するランプ基板７が接続され、このランプ基板７は、例えば２台の遊技機５毎に設けられたＩ／Ｏ基板８に接続されている。このＩ／Ｏ基板８が、ＣＰＵ３ａ、ＲＯＭ３ｂ、ＲＡＭ３ｃ等を有する前記セキュリティボックス３に接続され、このセキュリティボックス３は、ＣＰＵ９ａ、ＲＯＭ９ｂ、ＲＡＭ９ｃ等を有して各島６に１台配置される島コンピュータ９に接続されている。この各島６に前記無停電電源装置２が例えば１台配置され、この無停電電源装置２からランプ基板７、Ｉ／Ｏ基板８、セキュリティボックス３、島コンピュータ９及び各遊技機５に所定の電圧（電源）が供給されるようになっている。
【００１５】
また、前記ホールコンピュータ４は、ＣＰＵ１０ａ、ＲＯＭ１０ｂ、ＲＡＭ１０ｃ（記憶手段）等からなる制御装置１０と、スピーカ等の警報器１１ａ、ランプや液晶等からなる表示器１１ｂ、及び監視カメラ１１ｃ等からなる報知監視装置１１等を備えている。この報知監視装置１１は、前記セキュリティボックス３からの扉情報に基づいて制御装置１０から出力される制御信号により所定に動作するようになっている。
【００１６】
前記遊技機５は、図３に示すように、遊技機５内部に設けられた電源基板１３に、入賞口に遊技球が入賞することにより抽選を行い、入賞や特賞に係わる主たる制御を行うメイン制御基板１４と、遊技球の払出を制御する払出制御基板１５と、液晶表示器等の表示を制御する演出制御基板１６及び各種ランプの点灯や点滅等を制御するランプ制御基板１７が接続されている。また、電源基板１３には、島６に配置された前記無停電電源装置２の出力端子が接続されている。
【００１７】
また、各遊技機５には、扉開放検出手段としてのセンサ１８が設けられている。このセンサ１８は、例えば扉が開放可能に取り付けられる外枠の、扉の反ヒンジ側の所定位置に取り付けたマイクロスイッチ等の接触型の検出スイッチかあるいは光電スイッチや磁気スイッチ等の非接触型の検出スイッチで構成され、その一方の端子に前記無停電電源装置２が接続され、その他方の端子に前記ランプ基板７が接続されている。また、センサ１８は、外部情報基板１９が接続された前記メイン制御基板１４に接続され、センサ１８のオン・オフ信号がメイン制御基板１４に入力されるようになっている。
【００１８】
そして、前記センサ１８は、扉が開放された際に、例えば扉情報としてのオン信号がランプ基板７、Ｉ／Ｏ基板８を介してセキュリティボックス３とメイン制御基板１４に出力され、扉が閉鎖された際に扉情報としてのオフ信号がセキュリティボックス３とメイン制御基板１４に出力されるようになっている。なお、外部情報基板１４は、前記ランプ基板７に接続されている。
【００１９】
次に、このように構成された扉開放検出システム１の動作を、図４のフローチャートに基づいて説明する。なお、図４（ａ）は、セキュリティボックス３の動作を示し、ＲＯＭ３ｂに記憶されたプログラムにより自動的に実行され、また、図４（ｂ）はホールコンピュータ４の制御装置１０の動作を示し、ＲＯＭ１０ｂに記憶されたプログラムにより自動的に実行される。
【００２０】
先ず、セキュリティボックス３は、図４（ａ）に示すように、プログラムがスタート（Ｓ１００）すると、島６の電源がオフか否か、すなわちホールが営業時間外で島６のブレーカがオフされて島電源がオフ（但し無停電電源装置２からセキュリティボックス３とセンサ１８には電源が供給）されているか否かが判断（Ｓ１０１）され、この判断Ｓ１０１は「ＹＥＳ」になるまで繰り返される。そして、ホールの営業が終了して島電源がオフされて、判断Ｓ１０１で「ＹＥＳ」になると、島６の各遊技機５から扉開放信号の入力が有りか否かが判断（Ｓ１０２）される。この判断Ｓ１０２で「ＮＯ」の場合、すなわち電源がオフされている各遊技機５の扉が閉鎖状態でセンサ１８から扉情報としてオフ信号が出力されている場合は判断Ｓ１０１に戻る。
【００２１】
また、判断Ｓ１０２で「ＹＥＳ」の場合、すなわち営業時間外に侵入者等により遊技機５の扉が開放され、センサ１８から扉情報としてオン信号（扉開放信号）がセキュリティボックス３に入力されると、セキュリティボックス３のＣＰＵ３ａは、この信号を異常と判定して異常信号を島コンピュータ９を介してホールコンピュータ４の制御装置１０に出力（Ｓ１０３）してエンド（Ｓ１０４）となる。このセキュリティボックス３の異常判定は、ホールコンピュータ４から営業時間外であることが予め通知されてＲＡＭ１０ｃに一時記憶されており、この状態において扉情報としてオン信号が入力されると異常と判定することになる。なお、営業時間外においては、前述したように島６の電源がオフされても、無停電電源装置２から所定時間（例えば次の営業開始時間まで）、遊技機５のセンサ１８とセキュリティボックス３には電源が常時供給された状態となっている。
【００２２】
一方、ホールコンピュータ４の制御装置１０は、図４（ｂ）に示すように、プログラムがスタート（Ｓ２００）すると、セキュリティボックス３から異常信号の入力が有りか否かが判断（Ｓ２０１）され、この判断Ｓ２０１は「ＹＥＳ」になるまで繰り返される。そして、営業時間外に遊技機５の扉が開放されてセキュリティボックス３から異常信号が入力されると、判断Ｓ２０１で「ＹＥＳ」となり、報知監視装置１１の警報器１１ａを作動させて警報を発したり表示器１１ｂに所定の表示をして異常状態であることを報知（Ｓ２０２）すると共に、例えばホール内を監視可能な監視カメラ１１ｃを作動させて監視（Ｓ２０３）を行う。
【００２３】
ステップＳ２０２とＳ２０３で報知と監視が行われると、この状態、すなわち遊技機５の扉の開放が検出された状態や監視カメラ１１ｃによる撮像データ等の各種情報を制御装置１０のＲＡＭ１０ｃに記憶（Ｓ２０４）させてエンド（Ｓ２０５）となる。つまり、島６の電源がオフされた営業時間外に遊技機５の扉が開放されると、その開放状態がセンサ１８で検出され、この扉開放信号をセキュリティボックス３が異常信号と判定してホールコンピュータ４の制御装置１０に送信する。そして、制御装置１０は、この異常信号が入力されると、報知監視装置１１により報知したり監視を行うと共に異常発生時の各種情報をＲＡＭ１０ｃに記憶して保存することになる。
【００２４】
このように、前記扉開放検出システム１によれば、遊技機５のセンサ１８で検出された扉情報としての扉開放信号が、無停電電源装置２により電圧が常時供給されているセキュリティボックス３からホールコンピュータ４に送信されるため、島６に配置された無停電電源装置２の使用により、ホールの営業時間外であっても、不正による扉の開放状態を確実に検出し、ホールコンピュータ４を介してホールの人間に認識させることができる。
【００２５】
特に、ホールコンピュータ４が、制御装置１０に入力される扉情報に基づいて報知監視装置１１が作動して扉情報を報知したり監視を行うことから、扉の開放状態をホールの人間に確実に認識させたり、扉開放時の状態を監視カメラ１１ｃで自動的に撮像して監視することができ、不正遊技を阻止したり、監視カメラ１１ｃの撮像画像で不法侵入者を特定できる等、遊技機５に対する不正行為への対応を的確に行うことが可能となる。
【００２６】
また、無停電電源装置２がＡＣ−ＤＣ変換機能及びＡＣ−ＡＣ変換機能を有するため、セキュリティボックス３用のＤＣ電圧と各遊技機５用のＡＣ電圧を１台の無停電電源装置２から供給することができて、従来使用されていた交流トランスが不要になる等、扉開放検出システム１自体の構成を簡略化して安価に構成することができる。また、従来島６に設置されていた交流トランスに換えて無停電電源装置２とセキュリティボックス３を設置することで対応できるため、島６のスペースに負担を掛けることなく容易に設置することができる。
【００２７】
図５〜図７は、本発明に係わる扉開放検出システムの他の実施形態を示している。なお、前記実施形態と同一部位には、同一符号を付して説明する。この実施形態の扉開放検出システム１の特徴は、セキュリティボックス３の改ざんをも検出できるように構成した点にある。すなわち、セキュリティボックス３と遊技機５との間を双方向通信可能に接続し、遊技機５から前記扉情報が送信されると共に、セキュリティボックス３から通知信号としての信号Ｓ１を各遊技機５に送信可能に接続する。
【００２８】
この扉開放検出システム１は、図６（ａ）に示すように、セキュリティボックス３のＲＯＭ３ｂに記憶されているプログラムがスタート（Ｓ３００）すると、遊技機５の電源がオンか否かが判断（Ｓ３０１）され、この判断Ｓ３０１は「ＹＥＳ」になるまで繰り返される。そして、判断Ｓ３０１で「ＹＥＳ」になると、すなわち、ホールの営業時間内で遊技機５に無停電電源装置２からＡＣ２４Ｖの電源が供給されて遊技可能な状態の場合、セキュリティボックス３が遊技機５の扉の開放を検出して異常判定したか否かが判断（Ｓ３０２）される。この判断Ｓ３０２で「ＮＯ」の場合、すなわち遊技機５の扉が開放されずに異常でない場合は、判断Ｓ３０１に戻る。
【００２９】
また、判断Ｓ３０２で「ＹＥＳ」の場合、すなわち営業時間中に不正遊技者により扉が開放されて遊技機５のセンサ１８から開放信号がセキュリティボックス３に入力され、これをセキュリティボックス３が異常と判定した場合は、信号Ｓ１をホールコンピュータ４の制御装置１０や扉が開放された遊技機５の例えばメイン制御基板１４に出力（Ｓ３０３）してエンド（Ｓ３０４）となる。
【００３０】
一方、セキュリティボックス３から遊技機５に信号Ｓ１が入力されると、遊技機５は、図６（ｂ）に示すように動作する。すなわち、例えばメイン制御基板１４のＲＯＭに記憶されているプログラムがスタート（Ｓ４００）すると、信号Ｓ１の入力が有りか否かが判断（Ｓ４０１）され、この判断Ｓ４０１で「ＹＥＳ」の場合、すなわち、営業時間内に遊技機５の扉が開放され、その開放信号がセキュリティボックス３に送信され、その後セキュリティボックス３から信号Ｓ１が送信（通知）された場合は、遊技機５の扉が不正に開放されたものとして、異常信号を出力（Ｓ４０２）してホールコンピュータ４に送信（Ｓ４０２）し、その後、遊技機５のランプ等を異常表示させて報知（Ｓ４０３）し、エンド（Ｓ４０４）となる。
【００３１】
このステップＳ４０３における遊技機５における異常の報知は、ランプに限らず、遊技機５の液晶表示器に異常状態を表示させても良いし、セキュリティボックス３から信号Ｓ１が遊技機５に送信された場合は、遊技機５自体でもしくはホールコンピュータ４の指示により液晶表示器の電源を遮断する等して当該遊技機５による遊技を不可能にするようにしても良い。
【００３２】
また、セキュリティボックス３から営業時間内に信号Ｓ１が島コンピュータ９を介してホールコンピュータ４に入力されると、ホールコンピュータ４の制御装置１０は、図７に示すように動作する。すなわち、制御装置１０のＲＯＭ１０ｂに記憶されたプログラムがスタート（Ｓ５００）すると、セキュリティボックス３から信号Ｓ１が入力されたか否かが判断（Ｓ５０１）され、次に、遊技機５から信号Ｓ１が入力されたか否かが判断（Ｓ５０２）される。この両判断Ｓ５０１、Ｓ５０２で共に「ＹＥＳ」の場合、すなわち、営業時間内に遊技機５の扉が開放されてセキュリティボックス３から信号Ｓ１が入力され、かつ遊技機５からも信号Ｓ１が入力された場合に、制御装置１０がこの状態を異常と判定する。
【００３３】
そして、異常と判定すると、報知監視装置１１の警報器１１ａを作動させて警報を発したり表示器１１ｂに所定の表示をして異常状態であることを報知（Ｓ５０３）すると共に、監視カメラ１１ｃを作動させて監視（Ｓ５０４）を行い、これらの情報を記憶（Ｓ５０５）した後にエンド（Ｓ５０６）となる。つまり、この実施形態のフローチャートによれば、営業時間内に扉が不正に開放された場合、これをセンサ１８で検出してホールコンピュータ４と遊技機５自体に異常状態であることを送信し、ホールコンピュータ４は、セキュリティボックス３からの情報（信号Ｓ１）と遊技機５から送信される情報（信号Ｓ１）が一致した場合に、異常と判定して報知等を行い、また遊技機５自体もセキュリティボックス３から信号Ｓ１を受けた場合に異常を報知することになる。
【００３４】
この実施形態の扉開放検出システム１の場合は、ホールコンピュータ４によりセキュリティボックス３からの情報と遊技機５からの情報が比較されることから、セキュリティボックス３の取付状態等の情報をホールコンピュータ４に予め記憶させておくことにより、例えばセキュリティボックス３が取り外されたりあるいは改ざんされて、遊技機５にセキュリティボックス３から信号Ｓ１が通知されなくなると、これをホールコンピュータ４で異常と検出することができ、セキュリティボックス３自体の改ざん等を検出できることになる。
【００３５】
なお、前記実施形態においては、セキュリティボックス３を島６に配置したが、本発明はこの構成に限定されず、例えば図８に示すように、セキュリティボックス３を遊技機５自体に配置することもできる。この場合は、セキュリティボックス３を一つの基板として遊技機５内に内蔵し、その出力端子を島６のランプ基板７に接続すれば良いが、前記セキュリティボックス３の機能を有する回路を遊技機５内の適宜の基板上に構築することで対応することもできる。このように構成すれば、セキュリティボックス３と遊技機５間の配線構造を簡略化することが可能となる。
【００３６】
また、前記実施形態においては、無停電電源装置２にＡＣ−ＤＣ変換機能とＡＣ−ＡＣ変換機能を設けたが、例えば図９に示すように、無停電電源装置２に複数の直流電圧を出力可能なＡＣ−ＤＣ変換機能のみを設け、ＤＣ３８Ｖの直流電圧で遊技機５を作動可能に構成することもできる。この場合、無停電電源装置２の遊技機５への出力系統は図に示すように多系統であっても良いし、あるいは１系統であっても良い。このような構成とすれば、遊技機５内でＡＣ−ＤＣ変換する必要がなくなり、遊技機５の電源基板１３の構成が簡略化されて遊技機５を安価に形成できることになる。このように、無停電電源装置２と遊技機５の接続は、使用する無停電電源装置２の機能や遊技機５の電源基板１３の構成等によって適宜の組み合わせを使用することができる。
【００３７】
さらに、前記実施形態においては、センサ１８により扉の開放を検出することで、不法な主基板ケースの取り替え等を検出するようにしたが、例えば主基板ケース自体に当該ケースの取り外しを検出するセンサを取付け、このセンサの検出信号とセンサ１８の検出信号の両信号により不法な行為を検出する構成とすることもできる。この場合、取り外される部品としては、主基板ケースに限らず、他の基板や他の部品であっても良い。また、主基板ケース等の取り外し自体を検出する構成に限らず、例えば主基板ケースのコネクタが外されたことを、該コネクタに接続されている所定の回路（配線）を流れる電流値等で検出して、不法行為と判定することもできる。
【００３８】
また、前記実施形態においては、無停電電源装置２を島６に１台配置したが、例えば島６の遊技機５の複数台毎に１台配置したり、各遊技機５毎に配置することもできるし、前記実施形態におけるフローチャートも一例であって、セキュリティボックス３と島コンピュータ９、ホールコンピュータ４及び遊技機５に設けられる各ＣＰＵにより、同様の動作が得られる適宜のフローチャートを採用することができる。またさらに、前記実施形態における島６自体の構成や無停電電源装置２の構成も一例であって、例えば前記ランプ基板７を遊技機５毎に設ける等、本発明に係る各発明の要旨を逸脱しない範囲において適宜の構成を採用することができる。
【産業上の利用可能性】
【００３９】
本発明は、島に配置されるパチンコ遊技機に限らず、パチスロ等の開閉可能な扉を有する全ての遊技機に利用できる。
【図面の簡単な説明】
【００４０】
【図１】本発明に係わる扉開放システムの一実施形態の基本構成を示すブロック図
【図２】同その具体的な構成を示すブロック図
【図３】同遊技機の構成を示すブロック図
【図４】同動作の一例を示すフローチャート
【図５】本発明に係わる扉開放システムの他の実施形態の基本構成を示すブロック図
【図６】同動作の一例を示すフローチャート
【図７】同他の動作を示すフローチャート
【図８】本発明に係わる扉開放検出システムの変形例を示すブロック図
【図９】本発明に係わる扉開放検出システムの他の変形例を示すブロック図
【符号の説明】
【００４１】
１・・・扉開放検出システム、２・・・無停電電源装置、３・・・セキュリティボックス、３ａ・・・ＣＰＵ、３ｂ・・・ＲＯＭ、３ｃ・・・ＲＡＭ、４・・・ホールコンピュータ、５・・・遊技機、６・・・島、７・・・ランプ基板、８・・・Ｉ／Ｏ基板、９・・・島コンピュータ、９ａ・・・ＣＰＵ、９ｂ・・・ＲＯＭ、９ｃ・・・ＲＡＭ、１０・・・制御装置、１０ａ・・・ＣＰＵ、１０ｂ・・・ＲＯＭ、１０ｃ・・・ＲＡＭ（記憶手段）、１１・・・報知監視装置、１１ａ・・・警報器、１１ｂ・・・表示器、１１ｃ・・・監視カメラ、１３・・・電源基板、１４・・・メイン制御基板、１５・・・払出制御基板、１６・・・演出制御基板、１７・・・ランプ制御基板、１８・・・センサ（扉開放検出手段）、１９・・・外部情報基板、Ｓ１・・・信号（通知信号）。
【図１】
2010119768.tif 000003
【図２】
2010119768.tif 000004
【図３】
2010119768.tif 000005
【図４】
2010119768.tif 000006
【図５】
2010119768.tif 000007
【図６】
2010119768.tif 000008
【図７】
2010119768.tif 000009
【図８】
2010119768.tif 000010
【図９】
2010119768.tif 000011